(57)【要約】【課題】複数の医用画像の一覧性を向上することができる医用画像処理装置及び医用画像診断装置を提供すること。【解決手段】実施形態の医用画像処理装置は、読出部と、関連部と、表示制御部とを有する。読出部は、付帯情報が付帯された画像データを複数読み出す。関連部は、３次元座標の情報を有し、３次元座標の軸ごとに付帯情報の種類を関連付ける。表示制御部は、３次元座標の軸ごとに関連付けられた付帯情報の種類に基づいて、複数の画像データの画像を３次元座標の空間に配列して表示部に表示させる。【選択図】図１
2015167633.tif 000002
【特許請求の範囲】
【請求項１】
付帯情報が付帯された画像データを複数読み出す読出部と、
３次元座標の情報を有し、前記３次元座標の軸ごとに前記付帯情報の種類を関連付ける関連部と、
前記３次元座標の軸ごとに関連付けられた前記付帯情報の種類に基づいて、複数の前記画像データの画像を前記３次元座標の空間に配列して表示部に表示させる表示制御部と
を有することを特徴とする医用画像処理装置。
【請求項２】
前記関連部は、前記表示制御部による配列の順序を表す配列順序情報を前記付帯情報の種類ごとに関連付けることを特徴とする請求項１に記載の医用画像処理装置。
【請求項３】
前記関連部は、前記３次元座標の情報及び前記付帯情報の種類を有し、該付帯情報の種類から選択した前記付帯情報の種類を前記３次元座標の軸ごとに関連付けることを特徴とする請求項１又は２に記載の医用画像処理装置。
【請求項４】
前記関連部は、過去に選択した前記付帯情報の種類及び該種類を選択した選択回数を記憶し、該選択回数に基づいて前記付帯情報の種類を前記３次元座標の軸ごとに関連付けることを特徴とする請求項１又は２に記載の医用画像処理装置。
【請求項５】
前記関連部は、前記読出部から前記付帯情報を受け、該付帯情報に基づいて前記付帯情報の種類を前記３次元座標の軸ごとに関連付けることを特徴とする請求項１又は２に記載の医用画像処理装置。
【請求項６】
前記関連部は、前記読出部による複数の前記画像データを、前記付帯情報の種類を４次元以上の次元に設定した多次元配列のデータ構造で記憶し、前記多次元配列の次元のうち、３つの次元に設定された付帯情報の種類を前記３次元座標の軸に関連付けることを特徴とする請求項１又は２に記載の医用画像処理装置。
【請求項７】
前記関連部は、前記３次元座標の軸ごとに前記付帯情報の種類を新たに関連付け、
前記表示制御部は、新たに関連付けられた前記付帯情報の種類に基づいて、複数の前記画像データの画像を前記３次元座標の空間に配列して前記表示部に新たに表示させる
ことを特徴とする請求項１〜６のいずれか１つに記載の医用画像処理装置。
【請求項８】
前記関連部は、前記付帯情報の種類を前記３次元座標の軸ごとに新たに関連付ける順序を表す関連順序情報と共に予め記憶し、前記関連順序情報に基づいて前記３次元座標の軸ごとに前記付帯情報の種類を順次新たに関連付けることを特徴とする請求項１〜７のいずれか１つに記載の医用画像処理装置。
【請求項９】
付帯情報を付帯して被検体の画像データを複数生成する撮影部と、
前記画像データを複数読み出す読出部と、
３次元座標の情報を有し、前記３次元座標の軸ごとに前記付帯情報の種類を関連付ける関連部と、
前記３次元座標の軸ごとに関連付けられた前記付帯情報の種類に基づいて、複数の前記画像データの画像を前記３次元座標の空間に配列して表示部に表示させる表示制御部と
を有することを特徴とする医用画像診断装置。
【発明の詳細な説明】
【技術分野】
【０００１】
本発明の実施形態は医用画像処理装置及び医用画像診断装置に関する。
【背景技術】
【０００２】
Ｘ線ＣＴ（Ｃｏｍｐｕｔｅｄ  Ｔｏｍｏｇｒａｐｈｙ）装置、超音波診断装置、ＭＲＩ（Ｍａｇｎｅｔｉｃ  Ｒｅｓｏｎａｎｃｅ  Ｉｍａｇｉｎｇ）装置、Ｘ線診断装置、ＰＥＴ（Ｐｏｓｉｔｒｏｎ  Ｅｍｉｓｓｉｏｎ  Ｔｏｍｏｇｒａｐｈｙ）装置などの医用画像診断装置によって取得された被検体の複数の画像をモニタなどの表示部にサムネイル表示させる医用画像処理装置が知られている。
【０００３】
従来の医用画像処理装置は、複数の画像をサムネイル表示させるとき、定められた配列条件に基づいて、複数の画像を２次元配列してサムネイル表示させていた。また、複数の画像にはそれぞれ、撮影種別、撮影時間、スライス位置、心位相などの付帯情報が付帯されている。例えば医用画像処理装置は、横方向に配列条件としてのスライス位置、縦方向に配列条件としての撮影種別（造影撮影、非造影撮影、スキャノ撮影）を設定し、Ｘ線ＣＴ装置によって取得された被検体の複数の画像を２次元配列してサムネイル表示させていた。また、医用画像処理装置は、サムネイル表示させた画像のうち、ユーザによる指定を受けた画像を詳細表示する。それにより、ユーザは、サムネイル表示された画像のうち所望の画像を指定し、該画像の詳細を視認することができる。
【先行技術文献】
【特許文献】
【０００４】
【特許文献１】特開２００９−１４８４２２号公報
【特許文献２】特開２００７−３７７８１号公報
【特許文献３】特開２００８−７３３０１号公報
【特許文献４】特開２０１２−２０１７４号公報
【発明の概要】
【発明が解決しようとする課題】
【０００５】
しかしながら、近年、医用画像診断装置によって取得される画像の種類は多岐に亘り、それにともない、サムネイル表示に用いられる配列条件も多岐に亘る。それにより、２次元配列によるサムネイル表示では、多岐に亘る種類の画像を一覧表示できない場合があった。例えば、医用画像処理装置が、横方向に配列条件としてのスライス位置、縦方向に配列条件としての撮影種別を設定してサムネイル表示を表示部にさせたとき、同じスライス位置で撮影時間が異なる画像同士を一覧できない場合があった。
【０００６】
本発明が解決しようとする課題は、複数の医用画像の一覧性を向上することができる医用画像処理装置及び医用画像診断装置を提供することである。
【課題を解決するための手段】
【０００７】
実施形態の医用画像処理装置は、読出部と、関連部と、表示制御部とを有する。読出部は、付帯情報が付帯された画像データを複数読み出す。関連部は、３次元座標の情報を有し、３次元座標の軸ごとに付帯情報の種類を関連付ける。表示制御部は、３次元座標の軸ごとに関連付けられた付帯情報の種類に基づいて、複数の画像データの画像を３次元座標の空間に配列して表示部に表示させる。
【０００８】
また、実施形態の医用画像診断装置は、撮影部と、読出部と、関連部と、表示制御部とを有する。撮影部は、付帯情報を付帯して被検体の画像データを複数生成する。読出部は、画像データを複数読み出す。関連部は、３次元座標の情報を有し、３次元座標の軸ごとに付帯情報の種類を関連付ける。表示制御部は、３次元座標の軸ごとに関連付けられた付帯情報の種類に基づいて、複数の画像データの画像を３次元座標の空間に配列して表示部に表示させる。
【図面の簡単な説明】
【０００９】
【図１】実施形態の医用画像処理装置の構成を表すブロック図。
【図２】実施形態の医用画像処理装置の概略を表す模式図。
【図３】実施形態の医用画像処理装置の概略を表す模式図。
【図４】実施形態の医用画像処理装置の動作を表すフローチャート。
【図５】実施形態の医用画像処理装置の構成を表すブロック図。
【図６】実施形態の医用画像処理装置の概略を表す模式図。
【図７】実施形態の医用画像処理装置の動作を表すフローチャート。
【図８】実施形態の医用画像処理装置の構成を表すブロック図。
【図９】実施形態の医用画像処理装置の概略を表す模式図。
【図１０】実施形態の医用画像処理装置の動作を表すフローチャート。
【図１１】実施形態の医用画像処理装置の構成を表すブロック図。
【図１２Ａ】実施形態の医用画像処理装置の概略を表す模式図。
【図１２Ｂ】実施形態の医用画像処理装置の概略を表す模式図。
【図１３Ａ】実施形態の医用画像処理装置の概略を表す模式図。
【図１３Ｂ】実施形態の医用画像処理装置の概略を表す模式図。
【図１４】実施形態の医用画像処理装置の動作を表すフローチャート。
【図１５】実施形態の医用画像診断装置の構成を表すブロック図。
【発明を実施するための形態】
【００１０】
〈第１実施形態〉
［構成］
図１は、この実施形態の医用画像処理装置１ａの構成を表すブロック図である。医用画像処理装置１ａは、読出部２と、関連部３と、表示制御部４と、システム制御部５と、表示部６と、操作部７とを有する。
【００１１】
（読出部２）
読出部２は、付帯情報が付帯された画像データを複数読み出す。例えば、読出部２は、医用画像処理装置１ａの外部の画像記憶部８から一般的な通信インターフェースを介して付帯情報が付帯された画像データを複数読み出す。付帯情報は、付帯された画像データについての付加情報を表すメタ情報であり、その種類として、撮影種別、撮影時間、スライス位置、心位相、管電圧などを含む。撮影種別は、例えば、Ｘ線ＣＴ装置によるスキャノ撮影、非造影ボリュームスキャン撮影、造影ボリュームスキャン撮影、ヘリカルスキャン、コンベンショナルスキャン等の撮影種別を表す付帯情報である。撮影時間は画像が撮影された時間又は所定の撮影開始時刻からの経過時間を表す付帯情報である。スライス位置は被検体の体軸方向などの所定の方向におけるスライス位置を表す付帯情報である。心位相は心電同期撮影における心位相を表す付帯情報である。管電圧はＸ線管の管電圧を複数の条件に変更して画像を取得したときの当該画像データに係る管電圧を表す付帯情報である。例えば読出部２は、被検体の指定を操作部７から受け、該被検体について取得された画像データを検索し、検索した画像データを画像記憶部８から複数読み出す。また、通常、画像データには被検体を識別する被検体ＩＤが付帯されている。例えば、読出部２は、ユーザによる被検体ＩＤの指定を受け、該被検体ＩＤに基づいて複数の画像データを読み出す。読出部２は、読み出した複数の画像データを付帯情報と共に表示制御部４へ出力する。また、付帯情報には、被検体情報などの文字列のみのサマリー情報、定められた撮影情報データなどが含まれてもよい。
【００１２】
（関連部３）
関連部３は、３次元座標の情報を有し、３次元座標の軸ごとに付帯情報の種類を関連付ける。また、関連部３は、表示制御部４による配列の順序を表す配列順序情報を付帯情報の種類ごとに関連付ける。また、関連部３は、３次元座標の情報及び付帯情報の種類を有し、該付帯情報の種類から選択した付帯情報の種類を３次元座標の軸ごとに関連付ける。関連部３は、座標情報部３２と選択部３１とを有する。
【００１３】
（座標情報部３２）
座標情報部３２は、３次元座標の情報を有する。例えば、３次元座標は、直交座標系として座標情報部３２において予め定められている。なお、３次元座標は、斜交座標系として座標情報部３２において予め定められてもよい。また、座標情報部３２は、３次元座標の情報及び付帯情報の種類を有する。ここで、本明細書では、３次元座標の軸をそれぞれ、ｘ軸、ｙ軸、ｚ軸と称する。また、座標情報部３２は、付帯情報の種類を有する。例えば、座標情報部３２は、撮影種別、撮影時間、スライス位置、心位相、管電圧などの種類を記憶する。座標情報部３２は、定められた３次元座標を表示制御部４へ出力する。
【００１４】
（選択部３１）
選択部３１は、座標情報部３２における付帯情報の種類から選択した付帯情報の種類を３次元座標の軸ごとに関連付ける。例えば、選択部３１は、付帯情報の種類と３次元座標の軸を選択する指示を操作部７から受け、受けた指示が示す付帯情報の種類及び軸を選択することによって付帯情報の種類を３次元座標の軸に関連付ける。それにより、３次元座標の軸のそれぞれに付帯情報の種類が個別に関連付けられる。
【００１５】
また、選択部３１は、表示制御部４による配列の順序を表す配列順序情報を付帯情報の種類ごとに関連付ける。例えば、選択部３１は、付帯情報の種類が撮影時間、スライス位置、心位相、管電圧などの順位尺度であるとき、付帯情報の種類ごとに昇順又は降順の順序を配列順序情報として選択し、選択した配列順序情報を当該付帯情報の種類に関連付ける。また、選択部３１は、付帯情報の種類が撮影種別などの名義尺度であるとき、例えば、撮影時間などの順位尺度について昇順又は降順の順序を配列順序情報として選択し、選択した配列順序情報を当該付帯情報の種類に関連付ける。
【００１６】
ここで、選択部３１が付帯情報の種類と３次元座標の軸を選択する指示を受けるための表示画面である付帯情報選択画面について説明する。図２は、付帯情報選択画面Ｐ１を表す模式図である。表示制御部４は、付帯情報選択画面Ｐ１を表示部６に表示させる。付帯情報選択画面Ｐ１において、ウィンドウＴｘは、ｘ軸に関連付ける付帯情報の種類を選択するためのウィンドウである。ウィンドウＴｙは、ｙ軸に関連付ける付帯情報の種類を選択するためのウィンドウである。ウィンドウＴｚは、ｚ軸に関連付ける付帯情報の種類を選択するためのウィンドウである。ウィンドウＳｘは、ｘ軸に関連付ける配列順序情報を選択するためのウィンドウである。ウィンドウＳｙは、ｙ軸に関連付ける配列順序情報を選択するためのウィンドウである。ウィンドウＳｚは、ｚ軸に関連付ける配列順序情報を選択するためのウィンドウである。例えば、ウィンドウＴｘ、ウィンドウＴｙ、ウィンドウＴｚは、プルダウンメニュー等により、付帯情報の種類を一覧して表示可能に構成される。ウィンドウＳｘ、ウィンドウＳｙ、ウィンドウＳｚは、プルダウンメニュー等により、配列順序情報を一覧して表示可能に構成される。選択部３１は、ウィンドウＴｘ、ウィンドウＴｙ及びウィンドウＴｚを介してユーザによる操作部７からの選択指示を受け、該選択指示に基づく付帯情報の種類を３次元座標の軸のそれぞれに関連付ける。また、選択部３１は、ウィンドウＳｘ、ウィンドウＳｙ及びウィンドウＳｚを介してユーザによる操作部７からの選択指示を受け、該選択指示に基づく配列順序情報を３次元座標の軸のそれぞれに関連付ける。選択部３１は、３次元座標の軸のそれぞれに関連付けられた付帯情報の種類及び配列順序情報を表す関連情報を表示制御部４へ出力する。
【００１７】
（表示制御部４）
表示制御部４は、３次元座標の軸ごとに関連付けられた付帯情報の種類に基づいて、複数の画像データの画像を３次元座標の空間に配列して表示部６に表示させる。このとき、表示制御部４は、３次元座標を座標情報部３２から受ける。表示制御部４は、複数の画像データを読出部２から受ける。また、表示制御部４は、関連情報を選択部３１から受ける。例えば、表示制御部４は、関連情報により関連付けられた付帯情報の種類、軸及び配列順序情報と複数の画像データの付帯情報とを照合し、複数の画像データを３次元座標の空間に配列する。
【００１８】
図３は、配列された画像データの画像が表示された表示画面Ｐ２を表す模式図である。ここでは説明のため、Ｘ線ＣＴ装置によって取得されたスキャノ画像ｎ１、ボリュームスキャンを行なうことによって取得された断層画像ｎ２、及び造影剤を投与して一定の時間間隔毎にボリュームスキャンを行なうことによって取得された時系列造影断層画像ｎ３が配列された例を示す。付帯情報の種類としてスライス位置が関連付けられたｘ軸方向には、被検体の頭側から足側への順序で画像データの断層画像が配列される。付帯情報の種類として撮影種別が関連付けられたｙ軸方向には、撮影種別ごとに画像データの画像が配列される。付帯情報の種類として撮影時間が関連付けられたｚ軸方向には、時系列造影断層画像ｎ３の時間毎の画像が時間順にが配列される。このように、表示制御部４は配列した複数の画像データの画像を表示部６に表示させることにより、一定の時間間隔毎にボリュームスキャンを行なうことによって取得された時系列造影断層画像と他の撮影種別の画像とを含む画像をスライス位置、撮影時間、撮影種別に基づいて一覧させて表示部６に表示させることができる。
【００１９】
（システム制御部５）
システム制御部５は、医用画像処理装置１ａの各部を制御する。例えば、システム制御部５は、医用画像処理装置１ａの各部の機能を実行するためのコンピュータプログラムを予め記憶する。システム制御部５は、記憶したコンピュータプログラムを実行することで、各部の機能を実現する。
【００２０】
（表示部６、操作部７）
表示部６は、画像データに基づく画像を表示する。ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の表示デバイスによって構成される。操作部７は、ユーザによる操作を受けて、この操作の内容に応じた信号や情報を装置各部に入力する。操作部７は、例えば、キーボード、マウス、タッチパネルなどによって構成される。
【００２１】
［動作］
図４は、この実施形態の医用画像処理装置１ａの動作を表すフローチャートである。
【００２２】
（Ｓ００１）
読出部２は、付帯情報が付帯された画像データを複数読み出す。読出部２は、読み出した複数の画像データを付帯情報と共に表示制御部４へ出力する。
【００２３】
（Ｓ００２）
座標情報部３２は、定められた３次元座標を表示制御部４へ出力する。また、選択部３１は、座標情報部３２における付帯情報の種類から選択した付帯情報の種類を３次元座標の軸ごとに関連付ける。また、選択部３１は、表示制御部４による配列の順序を表す配列順序情報を付帯情報の種類ごとに関連付ける。選択部３１は、３次元座標の軸のそれぞれに関連付けられた付帯情報の種類及び配列順序情報を表す関連情報を表示制御部４へ出力する。
【００２４】
（Ｓ００３）
表示制御部４は、３次元座標を座標情報部３２から受け、複数の画像データを読出部２から受け、関連情報を選択部３１から受ける。表示制御部４は、関連情報により関連付けられた付帯情報の種類、軸及び順序と複数の画像データの付帯情報とを照合し、複数の画像データを３次元座標の空間に配列する。
【００２５】
（Ｓ００４）
表示制御部４は、配列した複数の画像データの画像を表示部６に表示させる。
【００２６】
［効果］
この実施形態の医用画像処理装置１ａの効果について説明する。医用画像処理装置１ａは、読出部２と、関連部３と、表示制御部４とを有する。読出部２は、付帯情報が付帯された画像データを複数読み出す。関連部３は、３次元座標の情報を有し、３次元座標の軸ごとに付帯情報の種類を関連付ける。表示制御部４は、３次元座標の軸ごとに関連付けられた付帯情報の種類に基づいて、複数の画像データの画像を３次元座標の空間に配列して表示部６に表示させる。それにより、複数の医用画像の一覧性を向上する医用画像処理装置１ａを提供することができる。
【００２７】
〈第１実施形態の変形例１〉
［構成］
図５は、この変形例の医用画像処理装置１ｂの構成を表すブロック図である。この変形例の医用画像処理装置１ｂは、関連部３の構成が第１実施形態の医用画像処理装置１ａと異なる。以下、第１実施形態の医用画像処理装置１ａと同様の事項については説明を省略する場合がある。
【００２８】
関連部３は、過去に選択した付帯情報の種類及び該種類を選択した選択回数を記憶し、該選択回数に基づいて付帯情報の種類を３次元座標の軸ごとに関連付ける。関連部３は、回数記憶部３３を有する。回数記憶部３３は、過去に選択部３１が選択した付帯情報の種類及び該種類を選択した選択回数を予め記憶する。選択部３１は、回数記憶部３３が記憶した選択回数に基づいて付帯情報の種類と３次元座標の軸とを選択することによって付帯情報の種類をそれぞれ３次元座標の軸に関連付ける。例えば選択部３１は、選択回数が多い順に付帯情報の種類と３次元座標の軸とを３つ選択し、関連情報として表示制御部４へ出力する。
【００２９】
ここで、選択部３１は、回数記憶部３３が記憶した選択回数に基づいて付帯情報の種類と３次元座標の軸とを選択する指示を操作部７から受けたとき、回数記憶部３３から選択回数を読み出し、付帯情報の種類と３次元座標の軸とを選択する。図６は、選択部３１が、この指示を受けるときの表示画面である自動設定画面Ｐ３を表す模式図である。表示制御部４は、自動設定画面Ｐ３を表示部６に表示させる。ウィンドウＡ１及びクリック領域Ａ２は、選択部３１が選択回数に基づいて付帯情報を選択させる指示を受けるためのウィンドウである。選択部３１は、クリック領域Ａ２へのクリック操作、ウィンドウＡ１のプルダウンメニューやキーボードなどの操作部７によるコマンド入力を受けたき、選択回数に基づいて付帯情報の種類を選択する。
【００３０】
また、選択部３１は、選択した付帯情報の種類と３次元座標の軸とを表す信号を回数記憶部３３へ出力する。回数記憶部３３は、該信号に表される付帯情報の種類と３次元座標の軸とについて新たに回数を加算して記憶する。
【００３１】
［動作］
図７は、この変形例の医用画像処理装置１ｂの動作を表すフローチャートである。
【００３２】
（Ｓ１０１）
読出部２は、付帯情報が付帯された画像データを複数読み出す。読出部２は、読み出した複数の画像データを付帯情報と共に表示制御部４へ出力する。
【００３３】
（Ｓ１０２）
選択部３１が、回数記憶部３３に記憶された選択回数に基づいて付帯情報の種類と３次元座標の軸とを選択する指示を操作部７から受けたとき（Ｓ１０２；ＹＥＳ）、Ｓ１０３へ進む。選択部３１が、回数記憶部３３に記憶された選択回数に基づいて付帯情報の種類と３次元座標の軸とを選択する指示を受けないとき（Ｓ１０２；ＮＯ）、Ｓ１０５へ進む。
【００３４】
（Ｓ１０３）
座標情報部３２は、定められた３次元座標を表示制御部４へ出力する。選択部３１は、回数記憶部３３が記憶した選択回数に基づいて付帯情報の種類と３次元座標の軸とを選択することによって付帯情報の種類を３次元座標の軸に関連付ける。選択部３１は、３次元座標の軸のそれぞれに関連付けられた付帯情報の種類及び配列順序情報を表す関連情報を表示制御部４へ出力する。
【００３５】
（Ｓ１０４）
選択部３１は、選択した付帯情報の種類と３次元座標の軸とを表す信号を回数記憶部３３へ出力する。回数記憶部３３は、該信号に表される付帯情報の種類と３次元座標の軸とについて新たに回数を加算して記憶する。
【００３６】
（Ｓ１０５）
座標情報部３２は、定められた３次元座標を表示制御部４へ出力する。また、選択部３１は、座標情報部３２における付帯情報の種類から選択した付帯情報の種類を３次元座標の軸ごとに関連付ける。また、選択部３１は、表示制御部４による配列の順序を表す配列順序情報を付帯情報の種類ごとに関連付ける。選択部３１は、３次元座標の軸のそれぞれに関連付けられた付帯情報の種類及び配列順序情報を表す関連情報を表示制御部４へ出力する。
【００３７】
（Ｓ１０６）
表示制御部４は、３次元座標を座標情報部３２から受け、複数の画像データを読出部２から受け、関連情報を選択部３１から受ける。表示制御部４は、関連情報により関連付けられた付帯情報の種類、軸及び順序と複数の画像データの付帯情報とを照合し、複数の画像データを３次元座標の空間に配列する。
【００３８】
（Ｓ１０７）
表示制御部４は、配列した複数の画像データの画像を表示部６に表示させる。
【００３９】
［効果］
この変形例の医用画像処理装置１ｂの効果について説明する。医用画像処理装置１ｂは、過去に選択した付帯情報の種類及び該種類を選択した選択回数を記憶し、該選択回数に基づいて付帯情報の種類を３次元座標の軸ごとに関連付ける。それにより、過去に多く用いられた配列に複数の医用画像を配列させる指示を簡便に受け、複数の医用画像の一覧性を向上する医用画像処理装置１ｂを提供することができる。
【００４０】
〈第１実施形態の変形例２〉
図８は、この変形例の医用画像処理装置１ｃの構成を表すブロック図である。この変形例の医用画像処理装置１ｃは、関連部３の構成が第１実施形態の医用画像処理装置１ａと異なる。以下、第１実施形態の医用画像処理装置１ａと同様の事項については説明を省略する場合がある。
【００４１】
関連部３は、読出部２からの付帯情報を受け、付帯情報に基づいて付帯情報の種類を３次元座標の軸ごとに関連付ける。関連部３は付帯情報処理部３４を有する。付帯情報処理部３４は、読出部２から複数の画像データの付帯情報を取得する。付帯情報処理部３４は、取得した複数の付帯情報に基づいて３つの付帯情報の種類を選択部３１へ出力する。例えば、付帯情報処理部３４は、特定の付帯情報と付帯情報の種類とを関連付けた関連情報を予め記憶する。付帯情報処理部３４は、読出部２から受けた付帯情報に予め記憶した特定の付帯情報が含まれるか検索する。付帯情報処理部３４は、読出部２から受けた付帯情報に予め記憶した特定の付帯情報が含まれたとき、特定の付帯情報に関連付けられた付帯情報の種類を選択部３１へ出力する。ここで、付帯情報処理部３４が、特定の付帯情報としての心電同期撮影と、心位相、スライス位置及び撮影種別とを関連付けた関連情報を予め記憶する場合について説明する。付帯情報処理部３４は、読出部２から受けた付帯情報に心電同期撮影が含まれるか検索する。付帯情報処理部３４は、読出部２から受けた付帯情報に心電同期撮影が含まれたとき、心電同期撮影に関連付けられた心位相、スライス位置及び撮影種別を選択部３１へ出力する。選択部３１は、付帯情報処理部３４から受けた３つの付帯情報の種類を選択してそれぞれ３次元座標の軸に関連付ける。選択部３１は、このように関連付けた付帯情報の種類と３次元座標の軸とを関連情報として表示制御部４へ出力する。
【００４２】
ここで、選択部３１は、読出部２による付帯情報に基づいて付帯情報の種類を３次元座標の軸ごとに関連付ける指示を操作部７から受けたとき、付帯情報処理部３４から受けた付帯情報の種類を選択する。図９は、選択部３１が、この指示を受けるときの表示画面を表す模式図である。表示制御部４は、自動設定画面Ｐ３を表示部６に表示させる。ウィンドウＡ１及びクリック領域Ａ２は、選択部３１が画像データの付帯情報に基づいて３次元座標の軸に関連付ける付帯情報の種類を選択させる指示を受けるためのウィンドウである。選択部３１は、クリック領域Ａ２へのクリック操作、ウィンドウＡ１のプルダウンメニューやキーボードなどの操作部７によるコマンド入力を受けたき、画像データの付帯情報に基づいて３次元座標の軸に関連付ける付帯情報の種類を選択する。
【００４３】
なお、関連部３は、さらに回数記憶部３３を有し、付帯情報と選択回数とに基づいて付帯情報の種類を３次元座標の軸ごとに関連付けてもよい。例えば、選択部３１が、ウィンドウＡ１を介して「選択回数（心位相優先）」との指示を受けたとき、該指示を表す制御信号を付帯情報処理部３４へ出力する。付帯情報処理部３４は、読出部２から受けた付帯情報に心位相を表す付帯情報が含まれるか検索する。付帯情報処理部３４は、読出部２から受けた付帯情報に心位相を表す付帯情報が含まれたとき、付帯情報の種類である心位相を選択部３１へ出力する。選択部３１は、心位相を３次元座標の軸に関連付ける。また、選択部３１は、回数記憶部に記憶された選択回数が多い順に付帯情報の種類を２つ選択し、３次元座標の軸に関連付ける。また、付帯情報処理部３４は、読出部２から受けた付帯情報に心位相を表す付帯情報が含まれないとき、含まれなかった検索結果を表す制御信号を選択部３１へ出力する。このとき選択部３１は、第１実施形態の変形例１と同様に、選択回数に基づいて付帯情報の種類と３次元座標の軸とを３つ選択し、関連情報として表示制御部４へ出力する。
【００４４】
図１０は、この変形例の医用画像処理装置１ｃの動作を表すフローチャートである。
【００４５】
（Ｓ２０１）
読出部２は、付帯情報が付帯された画像データを複数読み出す。読出部２は、読み出した複数の画像データを付帯情報と共に表示制御部４へ出力する。
【００４６】
（Ｓ２０２）
選択部３１が、読出部２による付帯情報に基づいて付帯情報の種類を３次元座標の軸ごとに関連付ける指示を操作部７から受けたとき（Ｓ２０２；ＹＥＳ）、Ｓ２０３へ進む。選択部３１が、読出部２による付帯情報に基づいて付帯情報の種類を３次元座標の軸ごとに関連付ける指示を受けないとき（Ｓ２０２；ＮＯ）、Ｓ２０４へ進む。
【００４７】
（Ｓ２０３）
座標情報部３２は、定められた３次元座標を表示制御部４へ出力する。付帯情報処理部３４は、読出部２から複数の画像データの付帯情報を取得する。付帯情報処理部３４は、取得した複数の付帯情報に基づいて３つの付帯情報の種類を選択部３１へ出力する。選択部３１は、付帯情報処理部３４から受けた３つの付帯情報の種類を選択してそれぞれ３次元座標の軸に関連付ける。選択部３１は、関連付けた付帯情報の種類と３次元座標の軸とを関連情報として表示制御部４へ出力する。
【００４８】
（Ｓ２０４）
座標情報部３２は、定められた３次元座標を表示制御部４へ出力する。また、選択部３１は、座標情報部３２における付帯情報の種類から選択した付帯情報の種類を３次元座標の軸ごとに関連付ける。また、選択部３１は、表示制御部４による配列の順序を表す配列順序情報を付帯情報の種類ごとに関連付ける。選択部３１は、３次元座標の軸のそれぞれに関連付けられた付帯情報の種類及び配列順序情報を表す関連情報を表示制御部４へ出力する。
【００４９】
（Ｓ２０５）
表示制御部４は、３次元座標を座標情報部３２から受け、複数の画像データを読出部２から受け、関連情報を選択部３１から受ける。表示制御部４は、関連情報により関連付けられた付帯情報の種類、軸及び順序と複数の画像データの付帯情報とを照合し、複数の画像データを３次元座標の空間に配列する。
【００５０】
（Ｓ２０６）
表示制御部４は、配列した複数の画像データの画像を表示部６に表示させる。
【００５１】
［効果］
この変形例の医用画像処理装置１ｃの効果について説明する。医用画像処理装置１ｃは、画像データの付帯情報に基づいて付帯情報の種類を３次元座標の軸ごとに関連付ける。それにより、読み出した複数の画像データに応じて付帯情報の種類と３次元座標の軸とを簡便に関連付け、複数の医用画像の一覧性を向上する医用画像処理装置１ｃを提供することができる。
【００５２】
〈第１実施形態の変形例３〉
図１１は、この変形例の医用画像処理装置１ｄの構成を表すブロック図である。この変形例の医用画像処理装置１ｄは、関連部３の構成が第１実施形態の医用画像処理装置１ａと異なる。以下、第１実施形態の医用画像処理装置１ａと同様の事項については説明を省略する場合がある。
【００５３】
関連部３は、３次元座標の軸ごとに付帯情報の種類を新たに関連付ける。関連部３は、選択変更部３５を有する。選択変更部３５は、操作部７からの入力を受けたとき、選択部３１が選択した付帯情報の種類と３次元座標の軸とを変更する。選択部３１は、変更された付帯情報の種類と３次元座標の軸とを新たな関連情報として表示制御部４へ出力する。
【００５４】
表示制御部４は、新たに関連付けられた付帯情報の種類に基づいて、複数の画像データの画像を３次元座標の空間に配列して表示部６に新たに表示させる。このとき表示制御部４は、選択部３１から受けた新たな関連情報により関連付けられた付帯情報の種類及び３次元座標の軸と読出部２から受けた複数の画像データの付帯情報とを照合し、複数の画像データを３次元座標の空間に新たに配列する。表示制御部４は、新たに配列した複数の画像データの画像を表示部６に表示させる。
【００５５】
ここで、操作部７からの入力内容と選択変更部３５による変更内容とは一対一に予め設定されている。例えば、操作部７がユーザによる横方向のドラッグ操作を受けたとき、選択部３１は該操作を表す入力内容を受け、ｘ軸に関連付けられた付帯情報の種類とｚ軸に関連付けられた付帯情報の種類とを入れ替えて新たに関連付ける。また、例えば、操作部７がユーザによる縦方向のドラッグ操作を受けたとき、選択部３１は該操作を表す入力内容を受け、ｙ軸に関連付けられた付帯情報の種類とｚ軸に関連付けられた付帯情報の種類とを入れ替えて新たに関連付ける。図１２Ａ及び図１２Ｂは、新たに配列された画像データの画像を表す模式図である。図１２Ａは、図３に示した表示画面Ｐ２からｘ軸に関連付けられた付帯情報の種類とｚ軸に関連付けられた付帯情報の種類とが入れ替えられた後の表示画面Ｐ２を表す。ｘ軸方向には、時系列造影断層画像ｎ３の時間毎の画像が時間順に配列される。ｚ軸方向には、被検体の頭側から足側への順序で画像データの断層画像が配列される。図１２Ｂは、図３に示した表示画面Ｐ２からｙ軸に関連付けられた付帯情報の種類とｚ軸に関連付けられた付帯情報の種類とが入れ替えられた後の表示画面Ｐ２を表す。ｙ軸方向には、時系列造影断層画像ｎ３の時間毎の画像が時間順に配列される。ｚ軸方向には、撮影種別ごとに画像データの画像が配列される。このように、簡便な操作を受けて配列を変更しながら画像を表示することにより、診断や読影の多岐な目的に適宜対応して複数の画像を表示することができる。
【００５６】
なお、選択変更部３５は、３次元座標の軸に関連付けられた付帯情報の種類の配列順序情報を変更してもよい。このとき選択変更部３５は、変更した配列順序情報を表示制御部４へ出力する。表示制御部４は、選択変更部３５から受けた配列順序情報と画像データの付帯情報とを照合し、複数の画像データを３次元座標の空間に新たに配列する。表示制御部４は、新たに配列した複数の画像データの画像を表示部６に表示させる。図１３Ａ及び１３Ｂは、配列順序情報が変更された画像データの画像を表す模式図である。例えば、選択変更部３５は、時系列造影断層画像ｎ３のうち所定の撮影時間を最前面に配列させる指示を受け、配列順序情報を変更する。このとき、図１３Ａのようにスキャノ画像ｎ１及び断層画像ｎ２とともに配列順序情報を変更してもよく、図１３Ｂのように時系列造影断層画像ｎ３のみの配列順序情報を変更してもよい。
【００５７】
また、関連部３は、読出部２による複数の前記画像データを、付帯情報の種類を４次元以上の次元に設定した多次元配列のデータ構造で記憶し、この多次元配列の次元のうち、３つの次元に設定された付帯情報の種類を３次元座標の軸に関連付けてもよい。このとき、関連部３は、読出部２から画像データを受け、画像データを４次元以上の次元を有する多次元配列のデータ構造で記憶する。このデータ構造は、付帯情報の種類を次元として設定された多次元配列である。関連部３において、各画像データは、付帯された付帯情報に基づいて、多次元配列の各アドレスに配置される。ここで、関連部３は、操作部７から付帯情報の種類の指定を受け、指定された付帯情報の種類を多次元配列の次元として設定する。関連部３は、複数の画像データの付帯情報と多次元配列の次元に設定された付帯情報の種類とを参照し、各画像データを多次元配列の各アドレスに配置する。関連部３は、このように画像データを配列した多次元配列を記憶する。なお、多次元配列の次元数の上限は、医用画像処理装置１ｄに実装されるハードウェアの仕様等に基づいて適宜設定されてよい。
【００５８】
関連部３は、多次元配列の次元に設定された付帯情報の種類のうち、３次元座標の軸に関連付ける付帯情報の種類の指定を操作部７から受ける。関連部３は、指定された付帯情報の種類を選択部３１へ出力する。選択部３１は、関連部３から受けた付帯情報の種類を３次元座標の軸に関連付ける。表示制御部４は、関連部３による多次元配列と選択部３１による付帯情報の種類とを参照する。このとき表示制御部４は、選択部３１による付帯情報の種類が設定された多次元配列の次元を参照する。表示制御部４は、参照した次元を３次元配列の次元として、複数の画像データを３次元配列する。
【００５９】
また、関連部３は、付帯情報の種類を３次元座標の軸ごとに新たに関連付ける順序を表す関連順序情報と共に予め記憶し、関連順序情報に基づいて３次元座標の軸ごとに付帯情報の種類を新たに関連付けてもよい。この場合、選択変更部３５は、付帯情報の種類を関連順序情報と共に予め記憶する。例えば選択変更部３５は、操作部７からの入力を受けたとき、既に関連付けられた付帯情報の種類の次の順序に相当する付帯情報の種類を選択部３１へ出力する。選択部３１は、この付帯情報の種類を３次元座標の軸に関連付け、関連情報として新たに表示制御部４へ出力する。表示制御部４は、新たに受けた関連情報により関連付けられた付帯情報の種類及び３次元座標の軸と読出部２から受けた複数の画像データの付帯情報とを照合し、複数の画像データを３次元座標の空間に新たに配列する。表示制御部４は、新たに配列した複数の画像データの画像を表示部６に表示させる。
【００６０】
ここで、関連部３において、付帯情報の種類として、撮影種別、スライス位置、撮影時間及び心位相が、多次元配列の次元に関連付けられた例について説明する。例えば、関連部３は、多次元配列の次元に設定された付帯情報の種類である撮影種別、スライス位置、撮影時間及び心位相のうち、３次元座標の軸に関連付ける付帯情報の種類として、スライス位置、撮影種別及び撮影時間を関連付ける指定を受ける。関連部３は、これら指定された付帯情報の種類を選択部３１へ出力する。選択部３１は、関連部３から受けた付帯情報の種類を３次元座標の軸に関連付ける。例えば選択部３１は、スライス位置をｘ軸に、撮影種別をｙ軸に、撮影時間をｚ軸に関連付ける。表示制御部４は、選択部３１による付帯情報の種類であるスライス位置、撮影種別及び撮影時間が設定された多次元配列の次元を参照する。表示制御部４は、参照したスライス位置、撮影種別及び撮影時間の次元を３次元配列の次元として、複数の画像データを３次元配列する。
【００６１】
さらに、選択変更部３５が、スライス位置をｘ軸に、撮影種別をｙ軸に、撮影時間をｚ軸に関連付けた次の順序において、心位相をｘ軸に、スライス位置をｙ軸に、撮影時間をｚ軸に関連付ける付帯情報の種類とした関連順序情報を予め記憶した例について説明する。選択変更部３５は、操作部７からの入力を受けたとき、既に関連付けられた付帯情報の種類であるスライス位置、撮影種別及び撮影時間の次の順序に相当する付帯情報の種類である心位相、スライス位置及び撮影時間を選択部３１へ出力する。選択部３１は、心位相をｘ軸に、スライス位置をｙ軸に、撮影時間をｚ軸に関連付け、関連情報として新たに表示制御部４へ出力する。表示制御部４は、新たに受けた関連情報に基づいて、複数の画像データを３次元空間の座標に新たに配列する。表示制御部４は、新たに配列した複数の画像データの画像を表示部６に表示させる。
【００６２】
また、選択変更部３５は、操作部７からの入力を受ける度に、次の関連順序情報に相当する付帯情報の種類を選択部３１へ出力してもよい。このとき、選択部３１は、選択変更部３５から付帯情報の種類を受ける度にその都度、この付帯情報の種類を３次元座標の軸に関連付け、関連情報として新たに表示制御部４へ出力する。表示制御部４は、選択部３１から関連情報を受ける度にその都度、受けた関連情報により関連付けられた付帯情報の種類及び３次元座標の軸と読出部２から受けた複数の画像データの付帯情報とを照合し、複数の画像データを３次元座標の空間に新たに配列し、配列した複数の画像データの画像を表示部６に表示させる。
【００６３】
また、表示制御部４は、操作部７からの入力を受けてから新たに配列した複数の画像データを表示部６に表示させるまでの間、表示部に表示させた３次元空間の投影像を、特定の表示態様で表示させてもよい。特定の表示態様とは、複数の画像データの配列の変更を視覚的に表すものであり、例えば、３次元空間を回転させるアニメーション表示などがこの表示態様の一例である。それにより、ユーザは、医用画像処理装置１ｄによる配列の変更動作を視覚的に認識することができる。
【００６４】
図１４は、この変形例の医用画像処理装置１ｄの動作を表すフローチャートである。
【００６５】
（Ｓ３０１）
読出部２は、付帯情報が付帯された画像データを複数読み出す。読出部２は、読み出した複数の画像データを表示制御部４へ出力する。
【００６６】
（Ｓ３０２）
座標情報部３２は、定められた３次元座標を表示制御部４へ出力する。また、選択部３１は、座標情報部３２における付帯情報の種類から選択した付帯情報の種類を３次元座標の軸ごとに関連付ける。また、選択部３１は、表示制御部４による配列の順序を表す配列順序情報を付帯情報の種類ごとに関連付ける。選択部３１は、３次元座標の軸のそれぞれに関連付けられた付帯情報の種類及び配列順序情報を表す関連情報を表示制御部４へ出力する。
【００６７】
（Ｓ３０３）
表示制御部４は、３次元座標を座標情報部３２から受け、複数の画像データを読出部２から受け、関連情報を選択部３１から受ける。表示制御部４は、関連情報により関連付けられた付帯情報の種類、軸及び順序と複数の画像データの付帯情報とを照合し、複数の画像データを３次元座標の空間に配列する。
【００６８】
（Ｓ３０４）
表示制御部４は、配列した複数の画像データの画像を表示部６に表示させる。
【００６９】
（Ｓ３０５）
選択変更部３５は、操作部７からの入力を受け、選択部３１が選択した付帯情報の種類と３次元座標の軸とを変更する。選択部３１は変更された付帯情報の種類と３次元座標の軸とを新たな関連情報として表示制御部４へ出力する。
【００７０】
（Ｓ３０６）
表示制御部４は、選択部３１から受けた新たな関連情報により関連付けられた付帯情報の種類及び３次元座標の軸と読出部２から受けた複数の画像データの付帯情報とを照合し、複数の画像データを３次元座標の空間に新たに配列する。
【００７１】
（Ｓ３０７）
表示制御部４は、新たに配列した複数の画像データの画像を表示部６に表示させる。
【００７２】
［効果］
この変形例の医用画像処理装置１ｄの効果について説明する。医用画像処理装置１ｄは、３次元座標の軸ごとに付帯情報の種類を新たに関連付け、新たに関連付けられた付帯情報の種類に基づいて、複数の画像データの画像を３次元座標の空間に配列して表示部６に新たに表示させる。また、医用画像処理装置１ｄは、付帯情報の種類を３次元座標の軸ごとに新たに関連付ける順序を表す関連順序情報と共に予め記憶し、関連順序情報に基づいて３次元座標の軸ごとに付帯情報の種類を順次新たに関連付けてもよい。それにより、読み出した複数の画像データに応じて付帯情報の種類と３次元座標の軸とを簡便に関連付け、複数の医用画像の一覧性を向上する医用画像処理装置１ｄを提供することができる。
【００７３】
〈第２実施形態〉
［構成］
図１５は、この実施形態の医用画像診断装置１０の構成を表すブロック図である。医用画像診断装置１０は、撮影部９と、読出部２と、関連部３と、表示制御部４と、システム制御部５と、表示部６と、操作部７とを有する。この実施形態の医用画像診断装置１０は、撮影部９の構成が第１実施形態の医用画像処理装置１ａと異なる。以下、第１実施形態の医用画像処理装置１ａと同様の事項については説明を省略する場合がある。
【００７４】
撮影部９は、付帯情報を付帯して被検体の画像データを複数生成する。例えば、撮影部９は、被検体をＸ線でスキャンしてデータを収集し、収集されたデータをコンピュータで処理することにより、被検体の内部を画像化した画像データを生成する（Ｘ線ＣＴ撮影）。また、撮影部９は、超音波プローブを用いて被検体内に超音波を送信してその反射波を受信することにより、被検体の生体情報を画像化した画像データを生成してもよい（超音波画像撮影）。また、撮影部９は、磁気共鳴現象を利用して被検体内を画像化した画像データを生成してもよい（磁気共鳴撮影）。また、撮影部９は、被検体を透過したＸ線を検出して被検体内を画像化した画像データを生成してもよい（Ｘ線撮影）。また、撮影部９は、陽電子放出核種で標識された化合物が投与された被検体内から対放出されるガンマ線を同時計数し演算処理することにより、被検体の機能分布を表す画像データを生成してもよい（ＰＥＴ撮影）。撮影部９は、画像データに付帯情報を付帯させる。例えば撮影部９は、画像データにヘッダ情報として付帯情報を付帯させる。
【００７５】
読出部２は、画像データを複数読み出す。このとき読出部２は、付帯情報が付帯された画像データを撮影部９から複数読み出す。読出部２は、読み出した複数の画像データを付帯情報と共に表示制御部４へ出力する。関連部３は、３次元座標の情報を有し、３次元座標の軸ごとに付帯情報の種類を関連付ける。関連部３は、３次元座標のそれぞれに関連付けられた付帯情報の種類を表す関連情報を表示制御部４へ出力する。表示制御部４は、３次元座標の軸ごとに関連付けられた付帯情報の種類に基づいて、複数の画像データの画像を３次元座標の空間に配列して表示部６に表示させる。
【００７６】
このように医用画像診断装置１０は、撮影部９と、読出部２と、関連部３と、表示制御部４とを有する。撮影部９は、付帯情報を付帯して被検体の画像データを複数生成する。読出部２は、画像データを複数読み出す。関連部３は、３次元座標の情報を有し、３次元座標の軸ごとに付帯情報の種類を関連付ける。表示制御部４は、３次元座標の軸ごとに関連付けられた付帯情報の種類に基づいて、複数の画像データの画像を３次元座標の空間に配列して表示部６に表示させる。それにより、複数の医用画像の一覧性を向上する医用画像診断装置１０を提供することができる。
【００７７】
〈実施形態に共通の効果〉
以上述べた少なくともひとつの実施形態の医用画像処理装置又は医用画像診断装置によれば、３次元座標の軸ごとに関連付けられた付帯情報の種類に基づいて、複数の画像データの画像を３次元座標の空間に配列して表示部に表示させることにより、複数の医用画像の一覧性を向上することが可能となる。
【００７８】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１ａ、１ｂ、１ｃ、１ｄ    医用画像処理装置
２      読出部
３      関連部
４      表示制御部
５      システム制御部
６      表示部
７      操作部
８      画像記憶部
９      撮影部
１０    医用画像診断装置
３１    選択部
３２    座標情報部
３３    回数記憶部
３４    付帯情報処理部
３５    選択変更部
【図１】
2015167633.tif 000003
【図２】
2015167633.tif 000004
【図３】
2015167633.tif 000005
【図４】
2015167633.tif 000006
【図５】
2015167633.tif 000007
【図６】
2015167633.tif 000008
【図７】
2015167633.tif 000009
【図８】
2015167633.tif 000010
【図９】
2015167633.tif 000011
【図１０】
2015167633.tif 000012
【図１１】
2015167633.tif 000013
【図１２Ａ】
2015167633.tif 000014
【図１２Ｂ】
2015167633.tif 000015
【図１３Ａ】
2015167633.tif 000016
【図１３Ｂ】
2015167633.tif 000017
【図１４】
2015167633.tif 000018
【図１５】
2015167633.tif 000019